(57)【要約】【課題】  パネルを躯体に取付ける際に、ビス跡を残さず、金具の破損を回避できるパネルに取付ける取付け金具と躯体に取付ける支持金具と、これらの取付け構造を提供する【解決手段】ＡＬＣパネルを躯体に取付けるために用いられる支持金具が使用され、支持金具は厚さ１．０ｍｍから１．５ｍｍの一枚の鉄板から成り立つ形状で形成され、直角に折り曲げられ断面逆Ｌ字状形状になされ、さらに先端部が直角に折り曲げられ、釘又はビスにより躯体へ取付け固定するための穴が設けられている。【選択図】    図２
2005226366.tif 000002
【特許請求の範囲】
【請求項１】
ＡＬＣパネルを躯体に取付けるために用いられる支持金具であり、該支持金具は厚さ１．０ｍｍから１．５ｍｍの一枚の鉄板から成り立つ形状で形成され、直角に折り曲げられ断面逆Ｌ字状形状になされ、さらに先端部が直角に折り曲げられ、釘又はビスにより躯体へ取付け固定するための穴が設けられていることを特徴とするＡＬＣパネルを躯体に取付けるための支持金具。
【請求項２】
躯体に上下方向及び左右方向に連接されるＡＬＣパネルを、それらの各パネルの小口面で躯体に取付け固定するために使用されるＡＬＣパネルの取付け金具であり、前記取付け金具は、厚さ１．０ｍｍから１．５ｍｍの一枚の鉄板から成り立つ形状で形成されており、前記取付け金具は直角に折り曲げられて腕部が形成されて断面逆Ｌ字状形状になされ、さらに、先端部が直角に折り曲げられて山切り状、または棒状が形成され、前記腕部には、請求項１記載の支持金具を取付けるため切り込みを有していることを特徴とするＡＬＣパネルの取付け金具。
【請求項３】
前記取付け金具の先端部をＡＬＣパネルの小口面に差し込ませるために、先端部は躯体の側板面からパネル厚さの３０〜７０％の位置にくるように形成されることを特徴とする請求項２記載のＡＬＣパネルの取付け金具。
【請求項４】
請求項１から請求項３記載の支持金具および取付け金具を使用するＡＬＣパネルの取付け構造において、請求項１記載の支持金具を躯体に先付けして釘又はビスで取付け固定し、請求項２記載の取付け金具の先端部をＡＬＣパネルの小口面に差し込み、躯体の側板面からのパネル厚さ３０〜７０％の位置に取付け、取付け金具の腕部の切り込みに支持金具の先端部を嵌入することを特徴とするＡＬＣパネルの取付け構造。
【発明の詳細な説明】
【技術分野】
【０００１】
この発明は、パラペット、ベランダ、階段などの立ち上がり壁や、窓用開口付き外壁などの木造や軽量鉄骨造の建築物の壁用途に使用されるＡＬＣ（軽量気泡コンクリート）薄板（パネル）をパネル躯体へ取付けるための支持金具、取付け金具およびその取付け構造に関する。
【背景技術】
【０００２】
取付け方法として、図４に示すように、躯体２に、室外側から釘又はビス３を７〜８ｍｍ打ち込みパネル１を固定する方法が一般的である。また一方で、パネル１の表面に釘又はビス跡３を残さないような取付け金具を用いた方法も提案されている。たとえば、特開２００２−２４２３４６公報、特開２００２−２４２３４７号公報では、釘又はビスで躯体と緊結するため、躯体と、パネルを小口面で固着するための爪部を有する金具による取付ける方法が提案されている。
【０００３】
さらに、特開２００２−２４２３４７号には、パネルの躯体側板面に当接される基礎と、パネル方向に向けて延接され、パネル小口面間に介在される腕部と他方のパネル方向の小口面に打ち込まれる取付金具がある。
【特許文献１】特開２００２−２４２３４６号公報
【特許文献２】特開２００２−２４２３４７号公報
【発明の開示】
【発明が解決しようとする課題】
【０００４】
ビス止めによる方法および特開２００２−２４２３４６号、２００２−２４２３４７号の方法では、ともに、面外方向に力が加わった場合には、取付部の爪部のみがパネルに当接することから面外方向の加重をパネルの部分の強度で受け持つこととなりパネルが破損する恐れがある。また、取付け金具の爪部のみの強度で荷重を受けるため、爪部が変形して金具が破損する恐れがある。
【０００５】
したがって、本発明の目的は、パネルを躯体に取付ける際に、ビス跡を残さず、金具の破損を回避できるパネルに取付ける取付け金具と躯体に取付ける支持金具と、これらの取付け構造を提供するものである。
【課題を解決するための手段】
【０００６】
本発明は、ビス跡を残さず、金具の破損を回避するために、パネル１に取付ける取付け金具１０と躯体に取付ける支持金具１１を有する。
【発明の効果】
【０００７】
以上、本発明により、ビス３が残らず、ビス穴充填する必要もなく、またパネルの意匠性がよく、かつ面内方向の力に追従しパネルの破損を防ぐ性能を備えた外壁の施工が可能である。
【発明を実施するための最良の形態】
【０００８】
本発明では、ＡＬＣパネルを躯体に取付けるために用いられる支持金具が使用され、支持金具は厚さ１．０ｍｍから１．５ｍｍの一枚の鉄板から成り立つ形状で形成され、直角に折り曲げられ断面逆Ｌ字状形状になされ、さらに先端部が直角に折り曲げられ、釘又はビスにより躯体へ取付け固定するための穴が設けられている。
【０００９】
さらに、躯体に上下方向及び左右方向に連接されるＡＬＣパネルを、それらの各パネルの小口面で躯体に取付け固定するために使用されるＡＬＣパネルの取付け金具が使用され、取付け金具は、厚さ１．０ｍｍから１．５ｍｍの一枚の鉄板から成り立つ形状で形成されており、取付け金具は直角に折り曲げられて腕部が形成されて断面逆Ｌ字状形状になされ、さらに、先端部が直角に折り曲げられて山切り状、または棒状が形成され、腕部には、支持金具を取付けるため切り込みを有している。
【００１０】
また、取付け金具の先端部をＡＬＣパネルの小口面に差し込ませるために、先端部は躯体の側板面からパネル厚さの３０〜７０％の位置にくるように形成される。
【００１１】
また、支持金具および取付け金具を使用するＡＬＣパネルの取付け構造において、支持金具を躯体に先付けして釘又はビスで取付け固定し、取付け金具の先端部をＡＬＣパネルの小口面に差し込み、躯体の側板面からのパネル厚さ３０〜７０％の位置に取付け、取付け金具の腕部の切り込みに支持金具の先端部を嵌入する。
【実施例】
【００１２】
本発明はＡＬＣパネルを躯体に取付けるのに用いられる支持金具および取付け金具の実施例を図面を参照して説明する。図１は、本発明の取付け構造を示す縦断面図であり、図２は、本発明の支持金具および取付け金具を示す斜視図であり、図３は、本発明の取付け構造の斜視図である。
【００１３】
実施例は、躯体にＡＬＣパネルを取付けるために、まず支持金具（固定金具）１１を躯体２に取付ける。その際、支持金具１１には躯体に取付ける為に穴１１ａが設けており釘又はビス３により先付け固定させる。
【００１４】
一方、ＡＬＣパネル１の小口面１ａに躯体側板面からパネル厚さの３０〜７０％の位置に取付け金具（固定金具）１０を固定するため、先端部が山切り状１０ａ、または棒状１０ｂ（図に示さず）によってＡＬＣパネル１に取付ける。
【００１５】
ＡＬＣパネル１に取付けた取付け金具１０に設けた切り込み１０ｃと躯体に取付けてある支持金具１１の先端部１１ａを引っ掛けることによりＡＬＣパネル１が取付け可能となる。
【００１６】
そして、バックアップ材５、シーリング材４を充填して作業終了となる。
【００１７】
以上のように壁面を構成すれば、外観と耐震性に優れた外壁を、比較的容易に施工することができる。
【図面の簡単な説明】
【００１８】
【図１】本発明の取付け構造を示す縦断面図である。
【図２】本発明の支持金具および取付け金具を示す斜視図である。
【図３】本発明の取付け構造の斜視図である。
【図４】従来例のＡＬＣパネルの取付け構造の断面図である。
【符号の説明】
【００１９】
１     ＡＬＣパネル
１ａ   パネル小口面
２     躯体
３     ビス、釘
４     シーリング材
５     バックアップ材
１０   取付け金具
１０ａ 山切り状部
１０ｂ 棒状部
１０ｃ 切り込み
１１   支持金具
【図１】
2005226366.tif 000003
【図２】
2005226366.tif 000004
【図３】
2005226366.tif 000005
【図４】
2005226366.tif 000006